(57)【要約】【課題】円滑な開閉作動が可能なシャッタ装置の提供。【解決手段】シャッタ装置の横フレーム５内には、駆動モータにより回転される巻取体５３が収容されている。巻取体５３には、スラットカーテン３の上端部が接続されている。スラットカーテン３は巻取体５３によって巻き取り可能、かつ、縦フレーム２ａ、２ｂのガイドレール２１に案内されて、下降可能に形成されている。横フレーム５の底板５１ｅの上面部には、ロアガイド５５が取り付けられており、ロアガイド５５は、底板５１ｅの上面部から上方へと延びている。ロアガイド５５は、巻取体５３によって巻き取られたスラットカーテン３の外周面と、横フレーム５の４隅との間の空間の内、巻取体５３よりも下方であって、巻取体５３よりも建築物よりに位置する空間を埋めている。【選択図】図２
2015101826.tif 000002
【特許請求の範囲】
【請求項１】
建築物の開口部の両側縁部において上下方向に延びるとともに、ガイドレール部を有した一対のガイドフレームと、
前記ガイドレール部に沿って移動することにより、前記開口部を開閉するシャッタカーテンと、
前記開口部の上端において水平方向に延び、前記シャッタカーテンを巻き取り可能な巻取体と、該巻取体を回転させる駆動モータとを収容するシャッタケースと、
前記巻取体に巻き取られた前記シャッタカーテンの外周面と前記シャッタケースとの間に形成された空間を、巻き取られた前記シャッタカーテンの外周面から遮るために、前記シャッタケースの内周部に形成されたシャッタガイド部と、
を備えたシャッタ装置。
【請求項２】
前記シャッタガイド部は、
前記シャッタケースを下方から塞ぐ底板上おいて、前記シャッタケースの延在方向の任意の位置に形成され、前記巻取体よりも下方であって、かつ、前記巻取体よりも前記建築物よりに位置する空間を埋める下方ガイド部を含む請求項１記載のシャッタ装置。
【請求項３】
前記底板の上面部には、ガイド取付部が突出しており、
前記下方ガイド部は、
合成樹脂材料によって一体に形成され、下端部からは可撓性を有する嵌合片が下方に向けて突出しており、該嵌合片は、前記ガイド取付部とスナップフィット結合している請求項２記載のシャッタ装置。
【請求項４】
前記下方ガイド部は、
前記下端部から下方に向けて突出した係合片を有しており、前記底板に取り付けられることにより、前記係合片が前記底板の前記上面部に弾発的に当接する請求項３記載のシャッタ装置。
【請求項５】
前記シャッタガイド部は、
前記シャッタケースの延在方向の両端部に配置された端部板に、それぞれ取り付けられた一対の端部ガイド部材を含み、
各々の前記端部ガイド部材は、
前記端部板に固定された軸端取付部と、
該軸端取付部から、前記シャッタケースの延在方向に向けて、巻き取られた前記シャッタカーテンを囲むように湾曲して延びた軸方規制部と、
により形成されている請求項１乃至４のうちのいずれか一項に記載のシャッタ装置。
【請求項６】
前記シャッタカーテンは、
両側端部に配置され、巻き取り方向に延びた一対の線状連結部材と、
それぞれが長尺状に形成され、長手方向の両端部が一対の前記線状連結部材にそれぞれ接続されるとともに、互いの側部が隣接するように、巻き取り方向に連続して並べられた複数のスラットと、
を具備しており、
各々の前記スラットは、
前記線状連結部材に対して回動可能に形成され、前記開口部の下端まで前記シャッタカーテンが降ろされた状態において、前記開口部を閉じる閉鎖位置と、前記開口部の一部を開放する開放位置とを選択可能に形成されている請求項１乃至５のうちのいずれか一項に記載のシャッタ装置。
【発明の詳細な説明】
【技術分野】
【０００１】
本発明は、建築物の出入口等を開閉するシャッタ装置に関する。
【背景技術】
【０００２】
所定の位置に設けられた着地位置センサーにより、閉作動するシャッタカーテンが着地位置に到達したことを検出する前に、モータの回転数に基づいて検出したシャッタカーテンの現在の位置が当該着地位置に到達した場合、モータ負荷電流に基づいて行なわれるシャッタカーテンの挟み込み検知の感度を鋭敏にするシャッタ装置に関する従来技術があった（例えば、特許文献１参照）。
当該従来技術によるシャッタ装置においては、モータの作動時の電流に対して所定のマージンを付加した閾値電流を設け、モータ電流が当該閾値電流を越えた時に、挟み込みがあったことを検知しており、挟み込み検知の感度を鋭敏にするためには、上記したマージンを減少させている。これによって、当該従来技術によるシャッタ装置は、障害物に対する挟み込み検知機能が向上し、挟み込み回避の処置がとりやすくなるため、その安全性が高められる。
【先行技術文献】
【特許文献】
【０００３】
【特許文献１】特開２００８−２４０２８４号公報
【発明の概要】
【発明が解決しようとする課題】
【０００４】
ところで、シャッタ装置にある現象が発生した場合、それにより挟み込み検知が遅れることがある。すなわち、巻き取られた状態から、モータを駆動してシャッタカーテンを降ろしていく時に挟み込みが発生すると、シャッタカーテンがスムーズに下降しなくなり、巻き取られたシャッタカーテンを格納しているケースの中で、シャッタカーテンが巻取り部から半径方向外方に膨らんでしまう（巻き出される）ことがある（図８参照）。この場合には、挟み込みによって発生した荷重がモータまで伝達し難く、挟み込み検知が遅れることになる。こういう状況下においては、シャッタカーテンの挟み込み検知の感度を鋭敏にしたとしても、モータの負荷電流自体が増大しないため、障害物に対する挟み込みの検知機能を高めることはできない。
【０００５】
これに加えて、シャッタカーテンを構成する各々のスラットが、側端部の線状連結部材に対して回動するブラインドシャッタの場合、シャッタカーテンが巻取り部から半径方向外方に膨らむことにより、拘束を解かれたスラット自体が自重により線状連結部材に対して回動することがある（図９参照）。このため、このままシャッタカーテンを降ろすと、回動したスラットがガイドレールの入口等に引っかかり、シャッタカーテンの閉め不良につながる。また、再び、シャッタカーテンを巻き取った時、回転したスラットによって巻き取り不良となり、シャッタカーテンの開作動に支障を来たすことにもなる。
本発明は上記事情に鑑みてなされたものであり、その目的は、円滑な開閉作動が可能なシャッタ装置を提供することにある。
【課題を解決するための手段】
【０００６】
上述した課題を解決するために、請求項１に係るシャッタ装置の発明は、建築物の開口部の両側縁部において上下方向に延びるとともに、ガイドレール部を有した一対のガイドフレームと、ガイドレール部に沿って移動することにより、開口部を開閉するシャッタカーテンと、開口部の上端において水平方向に延び、シャッタカーテンを巻き取り可能な巻取体と、巻取体を回転させる駆動モータとを収容するシャッタケースと、巻取体に巻き取られたシャッタカーテンの外周面とシャッタケースとの間に形成された空間を、巻き取られたシャッタカーテンの外周面から遮るために、シャッタケースの内周部に形成されたシャッタガイド部と、を備えている。
【０００７】
請求項２に係る発明は、請求項１のシャッタ装置において、シャッタガイド部は、シャッタケースを下方から塞ぐ底板上おいて、シャッタケースの延在方向の任意の位置に形成され、巻取体よりも下方であって、かつ、巻取体よりも建築物よりに位置する空間を埋める下方ガイド部を含んでいる。
【０００８】
請求項３に係る発明は、請求項２のシャッタ装置において、底板の上面部には、ガイド取付部が突出しており、下方ガイド部は、合成樹脂材料によって一体に形成され、下端部からは可撓性を有する嵌合片が下方に向けて突出しており、嵌合片は、ガイド取付部とスナップフィット結合している。
【０００９】
請求項４に係る発明は、請求項３のシャッタ装置において、下方ガイド部は、下端部から下方に向けて突出した係合片を有しており、底板に取り付けられることにより、係合片が底板の上面部に弾発的に当接している。
【００１０】
請求項５に係る発明は、請求項１乃至４のうちのいずれかのシャッタ装置において、シャッタガイド部は、シャッタケースの延在方向の両端部に配置された端部板に、それぞれ取り付けられた一対の端部ガイド部材を含み、各々の端部ガイド部材は、端部板に固定された軸端取付部と、軸端取付部から、シャッタケースの延在方向に向けて、巻き取られたシャッタカーテンを囲むように湾曲して延びた軸方規制部と、により形成されている。
【００１１】
請求項６に係る発明は、請求項１乃至５のうちのいずれかのシャッタ装置において、シャッタカーテンは、両側端部に配置され、巻き取り方向に延びた一対の線状連結部材と、それぞれが長尺状に形成され、長手方向の両端部が一対の線状連結部材にそれぞれ接続されるとともに、互いの側部が隣接するように、巻き取り方向に連続して並べられた複数のスラットと、を具備しており、各々のスラットは、線状連結部材に対して回動可能に形成され、開口部の下端までシャッタカーテンが降ろされた状態において、開口部を閉じる閉鎖位置と、開口部の一部を開放する開放位置とを選択可能に形成されている。
【発明の効果】
【００１２】
請求項１に係るシャッタ装置によれば、巻取体に巻き取られたシャッタカーテンの外周面とシャッタケースとの間に形成された空間を、巻き取られたシャッタカーテンの外周面から遮るために、シャッタケースの内周部に形成されたシャッタガイド部を備えていることにより、シャッタカーテンを降ろしていく時に、シャッタケースの中で、シャッタカーテンが半径方向外方に膨らんでしまうことを低減できるため、シャッタカーテンの円滑な開閉作動が可能になる。
【００１３】
請求項２に係るシャッタ装置によれば、シャッタガイド部は、巻取体よりも下方であって、かつ、巻取体よりも建築物よりに位置する空間を埋める下方ガイド部を含んでいることにより、最も、シャッタカーテンが半径方向外方に膨らみやすい空間との間を遮断することができるため、よりいっそう、シャッタカーテンの円滑な開閉作動が可能になる。
また、シャッタガイド部は、従前よりシャッタ装置が備えているシャッタケースの底板上に形成されているため、追加部品点数を最低限に抑えることができ、小型で低コストのシャッタ装置にすることができる。
【００１４】
請求項３に係るシャッタ装置によれば、下方ガイド部は、合成樹脂材料によって一体に形成され、下端部からは可撓性を有する嵌合片が下方に向けて突出しており、嵌合片は、底板の上面部に形成されたガイド取付部とスナップフィット結合していることにより、ボルト等の特別な締結部材を必要とせずに、下方ガイド部の底板に対する取付作業性を向上させることができる。
【００１５】
請求項４に係るシャッタ装置によれば、下方ガイド部は、下端部から下方に向けて突出した係合片を有しており、底板に取り付けられた状態において、係合片が底板の上面部に弾発的に当接しているため、係合片と底板との間の摩擦力により、下方ガイド部が、シャッタケースの延在方向に移動することを防ぐことができる。
【００１６】
請求項５に係るシャッタ装置によれば、シャッタガイド部は、シャッタケースの延在方向の両端部に配置された端部板に、それぞれ取り付けられた一対の端部ガイド部材を含み、各々の端部ガイド部材は、端部板に固定された軸端取付部と、軸端取付部から、シャッタケースの延在方向に向けて、巻き取られたシャッタカーテンを囲むように湾曲して延びた軸方規制部とにより形成されていることにより、端部ガイド部材は、シャッタカーテンの軸方向の両端部において空間との間を遮断することができるため、安定してシャッタカーテンをガイドし、半径方向外方に膨らんでしまうことをいっそう低減することができる。
【００１７】
請求項６に係るシャッタ装置によれば、シャッタカーテンの各々のスラットは、線状連結部材に対して回動可能に形成され、開口部の下端までシャッタカーテンが降ろされた状態において、開口部を閉じる閉鎖位置と、開口部の一部を開放する開放位置とを選択可能に形成されている。このように、シャッタカーテンがいわゆるブラインドシャッタであっても、シャッタガイド部によって、シャッタカーテンが半径方向外方に膨らむことを防ぎ、スラット自体が線状連結部材に対して回動することがないため、シャッタカーテンの巻き取り不良を防いで、その開閉作動に支障を来たすことを防止することができる。
【図面の簡単な説明】
【００１８】
【図１】本発明の一実施形態によるシャッタ装置が設けられた建築物の開口部の正面図
【図２】横フレームを延在方向に対し垂直にカットした場合の断面図
【図３】線状連結部材のリンクとスラットとを表した拡大図
【図４】横フレーム内部にロアガイドと端部ガイドを取り付けた状態を表した斜視図
【図５Ａ】ロアガイドを横フレームの底板に取り付ける方法を表した図であって、ロアガイドの突出片を底板のガイドフックに係合させた状態を示した図
【図５Ｂ】ロアガイドの嵌合片を底板の取付レール上に配置した状態を示した図
【図５Ｃ】嵌合片を取付レールに係合させた状態を示した図
【図５Ｄ】ロアガイドの係合片を底板の上面に当接させて、取り付けを完了させた状態を示した図
【図６】端部ガイドの拡大斜視図
【図７】横フレーム内においてスラットカーテンがロアガイドによって規制されている状態を表した断面図
【図８】スラットカーテンが半径方向外方に膨らんだ状態を表した断面図
【図９】スラットが線状連結部材に対して回動した状態を表した断面図
【発明を実施するための形態】
【００１９】
図１乃至図９に基づき、本発明の一実施形態によるシャッタ装置１について説明する。尚、図２および図７乃至図９において、左方向が建築物９から離れる方向、右方向が建築物９に近づく方向を表しているが、説明中において建築物９から離れる方向を前方といい、建築物９に近づく方向を後方と言うことがある。図１に示したように、シャッタ装置１は、建築物９内において、所定の距離を隔てて置かれ、ともに上下方向に延びた一対の縦フレーム２ａ、２ｂ（ガイドフレームに該当する）と、縦フレーム２ａ、２ｂの下端部において、双方を連結している下枠４と、建築物９に取り付けられるとともに、双方の縦フレーム２ａ、２ｂの上端部に架け渡された横フレーム５（シャッタケースに該当する）とを備えている。
【００２０】
互いに対向した縦フレーム２ａ、２ｂおよび横フレーム５によって、建築物９の内外を連通する矩形状の出入口９１（開口部に該当する）が形成され、縦フレーム２ａ、２ｂは出入口９１の両側縁部において上下方向に延び、横フレーム５は出入口９１の上端において水平方向に延びている。出入口９１には、スラットカーテン３（シャッタカーテンに該当する）が配置されている。スラットカーテン３の両側端部は、縦フレーム２ａ、２ｂにおいて互いの対向面に形成され、上下方向に延びたガイドレール２１（ガイドレール部に該当する）に係合している。
【００２１】
横フレーム５は、上面部５１ａ、前面部５１ｂ、後面部５１ｃ、下面部５１ｄおよび底板５１ｅを備えており、延在方向（図１における左右方向）に対し垂直な断面がおよそ矩形状（箱形）に形成されている（図２示）。横フレーム５の内部には、巻取空間５２が形成されており、巻取空間５２内には円筒状の巻取体５３が収容されている。巻取体５３は、横フレーム５に対して、回転軸φを中心に回転可能に取り付けられている。
【００２２】
また、巻取体５３の筒状の内部空間には、駆動装置５４が設けられている。駆動装置５４は、横フレーム５に取り付けられた外殻筒体５４ａ、外殻筒体５４ａの内部に固定された駆動モータ５４ｂおよび駆動モータ５４ｂの出力軸に接続された回転伝達部材５４ｃを備えている。外殻筒体５４ａの軸方向の一端部５４ａ１（図１における左端部）は、横フレーム５に固定されている。回転伝達部材５４ｃは、外殻筒体５４ａの軸方向の他端部５４ａ２（図１において右端部）から軸方向に突出し、巻取体５３を回転駆動する。
巻取体５３の外周面５３ａには、前述したスラットカーテン３の上端部が連結されており、巻取体５３が正回転（図２において時計回り）することにより、スラットカーテン３が巻取体５３に巻き取られ、巻取体５３が逆回転（図２において反時計回り）することにより、スラットカーテン３は下降する。スラットカーテン３は、側端部が前述したガイドレール２１によって案内されながら上下動し、出入口９１を開閉する。      
【００２３】
スラットカーテン３は、それぞれが長尺状の複数のスラット３１が、スラットカーテン３の巻き取り方向である上下方向に連続して並べられて形成されている。複数のスラット３１は、それぞれの長手方向が水平方向を向き、互いの側部が隣接するように配置されている。スラットカーテン３の両側端部には、一対の線状連結部材３２が配置されている。それぞれの線状連結部材３２は上下方向に延びており、各々のスラット３１の長手方向の両端部が接続されている。スラットカーテン３の下端部には、出入口９１の下端まで降ろされた状態において、下枠４に着座する座板３３が設けられている。
【００２４】
図２に示すように、線状連結部材３２は、複数のリンク３２ａの端部同士が連結されて形成されており、接続されたリンク３２ａは、互いに回動可能かつ接続方向に所定距離だけ相対移動可能に形成されている。各々のリンク３２ａに対しては、対応するスラット３１の端部が枢支ピン３１ａによりそれぞれ接続されている。一対の線状連結部材３２は、それぞれ前述した縦フレーム２ａ、２ｂのガイドレール２１に係合している。
本実施形態において各々のスラット３１は、接続されたリンク３２ａに対して、枢支ピン３１ａを中心に回動可能に形成されている。これによって、出入口９１の下端までスラットカーテン３が降ろされた状態において、スラット３１は、出入口９１を閉じる閉鎖位置と、出入口９１の一部を開放する開放位置とを選択可能となり、スラットカーテン３は、いわゆるブラインドシャッタを形成している（図３示）。
尚、シャッタ装置１の発明の要所以外の構成に関して、これまでに述べていないものの詳細については、公開特許公報である特開２００９−５７７４２号に開示されている構成と同様である。
【００２５】
上述した横フレーム５を下方から塞ぐ底板５１ｅ上には、ロアガイド５５（シャッタガイド部、下方ガイド部に該当する）が取り付けられている（図２および図４示）。ロアガイド５５は、合成樹脂材料によって一体に形成され、その下端部において底板５１ｅに取り付けられている。ロアガイド５５は、巻取体５３に巻き取られたスラットカーテン３に向けて、上方へと平板状に延びており、その上端面はスラットカーテン３の外周面に対応して円孤状に形成されている。これによりロアガイド５５は、巻取空間５２のうち、巻取体５３よりも下方であって、かつ、巻取体５３よりも後方に位置する空間を埋めている。
【００２６】
当該空間は、巻取体５３に巻き取られたスラットカーテン３の円弧状の外周面と、横フレーム５の４隅との間に形成された空間の内の一つに該当し、ロアガイド５５は、当該空間のうち、横フレーム５の延在方向のうちの一部とスラットカーテン３の円弧状の外周面との間を遮っている。すなわち、ロアガイド５５は、底板５１ｅ上における横フレーム５の延在方向の任意の位置に取り付けられ、ロアガイド５５と巻取体５３に巻き取られたスラットカーテン３とは、横フレーム５の延在方向においてオーバーラップしている。ロアガイド５５が埋めている空間は、スラットカーテン３の外周面と、横フレーム５の４隅との間に形成された４つの空間の内、最も、スラットカーテン３が半径方向外方に膨らみやすい空間である。
【００２７】
底板５１ｅの上面部には、横フレーム５の延在方向に延びる取付レール５１ｅ１（ガイド取付部に該当する）が突出している。また、当該上面部には、取付レール５１ｅ１と平行にガイドフック５１ｅ２が形成されている。
一方、ロアガイド５５の下端部には、ガイドフック５１ｅ２と係合可能な突出片５５ａが形成されている。また、ロアガイド５５の下端部からは、可撓性を有し、取付レール５１ｅ１とスナップフィット結合可能な嵌合片５５ｂが下方に突出しており、嵌合片５５ｂの先端部には、突部５５ｂ１が形成されている。また、ロアガイド５５の下端部からは、下方に向けて係合片５５ｃが突出している。さらに、ロアガイド５５の外周面全体には、複数の補強用リブ５５ｄが形成されている。
【００２８】
以下、図５Ａ乃至図５Ｄに基づき、ロアガイド５５を底板５１ｅの上面部に取り付ける方法について説明する。最初に、ロアガイド５５の突出片５５ａを、底板５１ｅのガイドフック５１ｅ２と係合させる（図５Ａ示）。次に、ロアガイド５５の嵌合片５５ｂを、取付レール５１ｅ１の上面に当接させた（図５Ｂ示）後、下方に押し下げ、嵌合片５５ｂを撓ませることにより、突部５５ｂ１に取付レール５１ｅ１を乗り越えさせる。取付レール５１ｅ１を突部５５ｂ１が乗り越えると、嵌合片５５ｂは元の位置に復帰し、取付レール５１ｅ１と係合する（図５Ｃ示）。その後、さらにロアガイド５５を下方に押し下げ、係合片５５ｃを底板５１ｅの上面部に当接させて取り付けを完成する（図５Ｄ示）。ロアガイド５５を底板５１ｅに取り付けた状態で、係合片５５ｃは、底板５１ｅの上面部に対してクッション性を有するべく弾発的に当接し、底板５１ｅの上面部に対しバネ力を与えている。
【００２９】
一方、図４に示すように、横フレーム５の延在方向の両端部に配置された端部板５１ｆには、一対の端部ガイド５６（シャッタガイド部、端部ガイド部材に該当する）が取り付けられている。各々の端部ガイド５６は、合成樹脂材料にて一体に形成され、図示しない取付ボルトによって端部板５１ｆに固定される。端部ガイド５６は、対称形状を呈しており、双方の端部板５１ｆには同一のものが取り付けられている。尚、図６においては、一方の端部ガイド５６のみを示している。
【００３０】
図６に示すように、端部ガイド５６は、端部板５１ｆに固定される平板状の軸端取付部５６ａと、軸端取付部５６ａから、横フレーム５の延在方向に向けて、巻き取られたスラットカーテン３を囲むように円弧状に延びた軸方規制部５６ｂとにより形成されている。軸方規制部５６ｂは、巻取体５３よりも上方であって、かつ、巻取体５３よりも前方に位置する空間と巻取体５３に巻き取られたスラットカーテン３の円弧状の外周面との間、および巻取体５３よりも下方であって、かつ、巻取体５３よりも前方に位置する空間と巻取体５３に巻き取られたスラットカーテン３の円弧状の外周面との間を遮っている。すなわち、端部ガイド５６の軸方規制部５６ｂと、巻取体５３に巻き取られたスラットカーテン３とは、横フレーム５の延在方向においてオーバーラップしている。
【００３１】
前述したように、巻取空間５２内にロアガイド５５が存在しない場合、スラットカーテン３を降ろしていく時に挟み込みが発生すると、スラットカーテン３が巻取体５３に巻き取られた部位から半径方向外方に膨らんでしまう（図８示）。
また、スラットカーテン３がブラインドシャッタである場合、スラットカーテン３が巻取体５３に巻き取られた部位から半径方向外方に膨らむことにより、拘束を解かれたスラット３１自体が、自重によって線状連結部材３２のリンク３２ａに対して回動することがある（図９示）。
【００３２】
これに対して、図７に示したように、巻取空間５２内にロアガイド５５が設けられると、巻取体５３に巻き取られたスラットカーテン３が、ロアガイド５５に規制されて、挟み込みが発生しても、巻取空間５２の後方下部において半径方向外方に膨らむ量が低減される。また、スラットカーテン３同士が巻き取られて重なっているため、スラット３１自体も線状連結部材３２に対して回動することがない。
さらに、スラットカーテン３は、端部ガイド５６の軸方規制部５６ｂによっても規制され、巻取空間５２の前方においても半径方向外方に膨らむ量が低減される。
尚、図７乃至図９において、上方を向いた矢印は、スラットカーテン３において挟み込みが発生し、スラットカーテン３の下方から、巻取体５３によって巻き取られている部位に向けて荷重が働いていることを示している。
【００３３】
本実施形態によれば、巻取体５３に巻き取られたスラットカーテン３の外周面を、横フレーム５の４隅との間に形成された空間のうちの少なくとも一つから遮断するために、横フレーム５の内周部に形成されたロアガイド５５または端部ガイド５６を備えていることにより、スラットカーテン３を降ろしていく時に、横フレーム５の中で、スラットカーテン３が半径方向外方に膨らんでしまうことを低減できるため、スラットカーテン３の円滑な開閉作動が可能になる。
また、ロアガイド５５および端部ガイド５６は、巻取体５３に巻き取られたスラットカーテン３の外周面と横フレーム５の４隅との間に形成された空間のうち、横フレーム５の延在方向の一部の空間のみから遮断するため、小型化することができ、その製造コストを低減することができる。
【００３４】
また、ロアガイド５５は、巻取体５３よりも下方であって、かつ、巻取体５３の後方に位置する空間を埋めることにより、スラットカーテン３を降ろしていく時に、最も、半径方向外方に膨らみやすい空間との間を遮断することができるため、よりいっそう、スラットカーテン３の円滑な開閉作動が可能になる。
また、ロアガイド５５は、通常、シャッタ装置１が備えている横フレーム５の底板５１ｅ上に形成されているため、追加部品点数を最低限に抑えることができ、小型で低コストのシャッタ装置１にすることができる。
【００３５】
また、ロアガイド５５は合成樹脂材料によって一体に形成され、下端部からは可撓性を有する嵌合片５５ｂが下方に向けて突出しており、嵌合片５５ｂは、底板５１ｅの上面部に形成された取付レール５１ｅ１とスナップフィット結合していることにより、ボルト等の特別な締結部材を必要とせずに、ロアガイド５５の底板５１ｅに対する取付作業性を向上させることができる。
また、取付レール５１ｅ１は、横フレーム５の延在方向に延びているため、ロアガイド５５を、当該延在方向において任意の位置に取り付けることができる。
また、ロアガイド５５は、下端部から下方に向けて突出した係合片５５ｃを有しており、底板５１ｅに取り付けられた状態において、係合片５５ｃが底板５１ｅの上面部に弾発的に当接しているため、係合片５５ｃと底板５１ｅとの間の摩擦力により、ロアガイド５５が、取付レール５１ｅ１に沿って、横フレーム５の延在方向に移動することを防ぐことができる。
【００３６】
また、一対の端部ガイド５６は、横フレーム５の延在方向の両端部に配置された端部板５１ｆに、それぞれ取り付けられており、各々の端部ガイド５６は、端部板５１ｆに固定された軸端取付部５６ａと、軸端取付部５６ａから横フレーム５の延在方向に向けて、巻き取られたスラットカーテン３を囲むように湾曲して延びた軸方規制部５６ｂとにより形成されていることにより、端部ガイド５６は、巻き取られたスラットカーテン３の軸方向の両端部において空間との間を遮断することができるため、安定してスラットカーテン３をガイドし、半径方向外方に膨らんでしまうことをいっそう低減することができる。
また、ロアガイド５５および端部ガイド５６は、合成樹脂材料にて形成されているため、スラットカーテン３が当接した場合の異音等を低減することができ、スラットカーテン３における疵、打痕等の発生を防ぐことができる。
【００３７】
また、スラットカーテン３の各々のスラット３１は、線状連結部材３２に対して回動可能に形成され、建築物９の出入口９１の下端までスラットカーテン３が降ろされた状態において、出入口９１を閉じる閉鎖位置と、出入口９１の一部を開放する開放位置とを選択可能に形成されている。このように、スラットカーテン３がいわゆるブラインドシャッタであっても、ロアガイド５５および端部ガイド５６によって、スラットカーテン３が半径方向外方に膨らむことを防ぐことができるため、スラット３１自体が線状連結部材３２に対して回動することがなく、スラットカーテン３の巻き取り不良を防いで、その開閉作動に支障を来たすことを防止することができる。
【００３８】
＜他の実施形態＞
本発明は、上述した実施形態に限定されるものではなく、次のように変形または拡張することができる。
巻取空間５２内に、ロアガイド５５および端部ガイド５６のうちの一方のみを設けてもよい。また、端部ガイド５６は、必ず一対設けなければならないわけではなく、横フレーム５の延在方向の一端部のみに形成してもよい。
また、巻取体５３に巻き取られたスラットカーテン３を、横フレーム５との間の空間から遮断する部材は、巻取体５３に巻き取られたスラットカーテン３に対する上方であって、スラットカーテン３よりも後方の空間から遮断する部材であってもよいし、また、横フレーム５の４隅との間に形成された空間以外の、その他の空間から遮る構成であってもよい。
また、巻取体５３に巻き取られたスラットカーテン３を、横フレーム５との間の空間から遮断する部材は、横フレーム５の成形時に横フレーム５と一体に形成してもよい。
また、横フレーム５は、その延在方向に対し垂直な断面が必ずしも矩形状に形成されていなくてもよく、例えば、当該断面形状が円形であってもよい。
本発明は、スラット３１が線状連結部材３２に対して回動しない、通常のシャッタ装置にも適用可能である。
【符号の説明】
【００３９】
図面中、１はシャッタ装置、２ａ，２ｂは縦フレーム（ガイドフレーム）、３はスラットカーテン（シャッタカーテン）、５は横フレーム（シャッタケース）、９は建築物、２１はガイドレール（ガイドレール部）、３１はスラット、３２は線状連結部材、５１ｅは底板、５１ｅ１は取付レール（ガイド取付部）、５１ｆは端部板、５３は巻取体、５４ｂは駆動モータ、５５はロアガイド（シャッタガイド部、下方ガイド部）、５５ｂは嵌合片、５５ｃは係合片、５６は端部ガイド（シャッタガイド部、端部ガイド部材）、５６ａは軸端取付部、５６ｂは軸方規制部、９１は出入口（開口部）を示している。
【図１】
2015101826.tif 000003
【図２】
2015101826.tif 000004
【図３】
2015101826.tif 000005
【図４】
2015101826.tif 000006
【図５Ａ】
2015101826.tif 000007
【図５Ｂ】
2015101826.tif 000008
【図５Ｃ】
2015101826.tif 000009
【図５Ｄ】
2015101826.tif 000010
【図６】
2015101826.tif 000011
【図７】
2015101826.tif 000012
【図８】
2015101826.tif 000013
【図９】
2015101826.tif 000014